(57)【要約】【課題】非常に簡単な構成でオフセットビート成分を除去することができるオフセットビートキャンセル装置を提供する。【解決手段】周波数を僅かにオフセットさせた同一チャンネルのテレビ放送信号を複数の送信局より受信する場合、直交復調部１３により受信信号を直交復調し、映像信号とオフセットビート成分を含む同相成分と、オフセットビート成分の直交成分をビートキャンセル部１４Ａへ出力する。ビートキャンセル部１４Ａは、同相成分をデジタル信号に変換して取り出し、遅延回路５３を介して減算回路５４へ出力すると共に、直交成分をデジタル信号に変換して取り出し、バンドパスフィルタ５５を介してヒルベルトフィルタ５６に入力し、同一振幅で位相を９０°シフトして減算回路５４へ出力する。減算回路５４は、同相成分からヒルベルトフィルタ５６の出力信号を減算し、オフセットビート成分を除去する。【選択図】      図１
2005340911.tif 000002
【特許請求の範囲】
【請求項１】
周波数を僅かにオフセットさせた同一チャンネルのテレビ放送信号を複数の送信局より受信した場合に、その受信信号を直交復調部により直交復調することにより、映像信号とオフセットビート成分を含んだ同相成分を抽出すると共にオフセットビート成分の直交成分を抽出し、前記同相成分と直交成分との差分を求めて映像信号を抽出するオフセットビートキャンセル装置において、
前記直交復調部で得られた同相成分から映像信号とオフセットビート成分を含んだ信号を抽出する第１の信号抽出手段と、
前記直交復調部で得られた直交成分からオフセットビート成分を抽出する第２の信号抽出手段と、前記第２の信号抽出手段で抽出されたオフセットビート成分に対し、振幅利得が「１」で位相を９０°シフトするフィルタと、
前記第１の信号抽出手段で抽出された信号と前記フィルタの出力信号との差分をとり、オフセットビート成分を除去して映像信号を抽出する演算手段とを具備したことを特徴とするオフセットビートキャンセル装置。
【請求項２】
周波数を僅かにオフセットさせた同一チャンネルのテレビ放送信号を複数の送信局より受信し、複数のオフセット周波数を含むオフセットビート成分が存在する場合に、その受信信号を直交復調部により直交復調することにより、映像信号とオフセットビート成分を含んだ同相成分を抽出すると共に、オフセットビート成分の直交成分を抽出し、前記同相成分と直交成分との差分を求めて映像信号を抽出するオフセットビートキャンセル装置において、
前記直交復調部で得られた同相成分から映像信号と複数のオフセット周波数を含むオフセットビート成分からなる信号を抽出する第１の信号抽出手段と、
前記直交復調部で得られた直交成分から複数のオフセット周波数を含むオフセットビート成分を抽出する第２の信号抽出手段と、前記第２の信号抽出手段で抽出されたオフセットビート成分に対し、各オフセット周波数における振幅利得が「１」で位相を９０°シフトするフィルタと、
前記第１の信号抽出手段で抽出された信号と前記フィルタの出力信号との差分をとり、複数のオフセット周波数を含むオフセットビート成分を除去して映像信号を抽出する演算手段とを具備したことを特徴とするオフセットビートキャンセル装置。
【請求項３】
周波数を僅かにオフセットさせた同一チャンネルのテレビ放送信号を複数の送信局より受信した場合に、その受信信号を直交復調部により直交復調することにより、映像信号とオフセットビート成分を含んだ同相成分を抽出すると共にオフセットビート成分の直交成分を抽出し、前記同相成分と直交成分との差分を求めて映像信号を抽出するオフセットビートキャンセル装置において、
前記直交復調部で得られた同相成分から映像信号とオフセットビート成分を含んだ信号を抽出する第１の信号抽出手段と、
前記直交復調部で得られた直交成分からオフセットビート成分を抽出する第２の信号抽出手段と、前記第２の信号抽出手段で抽出されたオフセットビート成分に対し、位相を９０°シフトするフィルタと、
前記第１の信号抽出手段で抽出された信号と前記フィルタの出力信号との差分をとり、オフセットビート成分を除去して映像信号を抽出する演算手段と、
前記演算手段に入力される同相成分の信号系統あるいは直交成分の信号系統に設けられ、両系統の信号レベルが同じになるように調整する信号レベル調整手段とを具備したことを特徴とするオフセットビートキャンセル装置。
【発明の詳細な説明】
【技術分野】
【０００１】
本発明は、２つのアナログテレビ放送局から周波数を僅かにオフセットさせた同じチャンネルの放送電波が届く地域において、受信するアナログテレビ放送の映像信号と、この映像信号に含まれる妨害放送映像信号の干渉によって生じる映像ビート成分を除去するオフセットビートキャンセル装置に関する。
【背景技術】
【０００２】
従来、アナログテレビ放送では、ＶＨＦ帯、ＵＨＦ帯の電波を使用し、各地域において放送信号が混信しないように各チャンネルの割当が行なわれている。しかし、実際には図６に示すように、２つのアナログテレビ放送局１Ａ、１Ｂ局から同じチャンネルの放送電波が届く地域が存在する。このような地域において、テレビ放送局１Ａ、１Ｂ局から送信される同じチャンネルのテレビ放送を各家庭２等に設置されているテレビ受像機（図示せず）で受信した場合、テレビ画面の走査線が粗くなったような画面となるビート妨害が発生する。
【０００３】
上記のようなビート妨害を軽減するために、従来では、一方のテレビ放送局１Ａから送信されるテレビ放送波（搬送波）の周波数を僅かに例えば＋１０ｋＨｚ、若しくは−１０ｋＨｚずらすオフセットキャリア方式と呼ばれる方式が用いられている。しかし、このような対策を行なった場合においても、本来の受信波ともう一方の放送局からの受信波（妨害波）とのＤ／Ｕ比（Desire Undesired signal ratio）が小さい場合にはビート妨害が発生してしまう。
【０００４】
上記のビート妨害を防ぐには、受信アンテナとテレビ受像機との間にオフセットビートキャンセル装置を挿入する方法がある（例えば、特許文献１参照。）。
【０００５】
図７は、ＵＨＦテレビ放送におけるオフセットビートキャンセル装置の概略構成を示すブロック図である。図７において、１１はＵＨＦのテレビ放送電波を受信する受信アンテナで、その受信信号はチューナ部１２に入力される。チューナ部１２は、受信アンテナ１１で受信された放送電波（ＲＦ）の中から所定チャンネルの信号を選択し、映像ＩＦ信号（ＩＦ帯テレビ映像信号）及び音声ＩＦ信号（中間周波信号）に変換する。
【０００６】
上記チューナ部１２から出力される映像ＩＦ信号は、直交復調部１３及びビートキャンセル部１４によりオフセットビート成分が除去された後、ＵＨＦ変調器１５に入力され、また、チューナ部１２から出力される音声ＩＦ信号は直接ＵＨＦ変調器１５に入力される。このＵＨＦ変調器１５は、入力された映像ＩＦ信号及び音声ＩＦ信号を変調して元の高周波周波数あるいは他の高周波周波数に変換した後、テレビ受像機（図示せず）へ送出する。
【０００７】
上記直交復調部１３及びビートキャンセル部１４は、図８に示すように構成される。直交復調部１３は、cos（ωｔ）（余弦波成分）の搬送波信号を発生する局部発振器２１、上記cos（ωｔ）の信号の位相をπ／２シフトしてsin（ωｔ）（正弦波成分）の信号を得るπ／２位相シフト回路２２、上記チューナ部１２からのＩＦ信号と上記cos（ωｔ）の信号とを乗算して同相成分Ｉ（ｔ）を出力する第１の乗算器２３、チューナ部１２からのＩＦ信号と上記sin（ωｔ）の信号とを乗算して直交成分Ｑ（ｔ）を出力する第２の乗算器２４からなっている。
【０００８】
上記直交復調部１３から出力される同相成分Ｉ（ｔ）には映像信号とオフセットビート成分が含まれ、直交成分Ｑ（ｔ）にはオフセットビート成分が含まれている。上記直交復調部１３から出力される同相成分Ｉ（ｔ）及び直交成分Ｑ（ｔ）は、ビートキャンセル部１４へ送られる。
【０００９】
ビートキャンセル部１４に入力された同相成分Ｉ（ｔ）は、第１のＡ／Ｄコンバータ３１ａによりデジタル信号に変換された後、復調搬送波の２倍以上の周波数成分を除去する第１のローパスフィルタ（ＬＰＦ）３２ａ及び遅延回路３３を介して減算回路３４の＋端子に入力される。すなわち、減算回路３４の＋端子には、デジタル映像信号Ａ（ｔ）とオフセットビート成分「Ｂ（ｔ）・cos（δｔ＋φ）」を含む信号「Ａ（ｔ）＋Ｂ（ｔ）・cos（δｔ＋φ）」が入力される。
【００１０】
また、ビートキャンセル部１４に入力された直交成分Ｑ（ｔ）は、第２のＡ／Ｄコンバータ３１ｂによりデジタル信号に変換された後、復調搬送波の２倍以上の周波数成分を除去する第２のローパスフィルタ（ＬＰＦ）３２ｂを介してオフセットビート成分抽出部４０へ入力される。このオフセットビート成分抽出部４０は、バンドパスフィルタ（ＢＰＦ）３５、除算回路３６、ＰＬＬ回路３７、π／２位相シフト回路３８、乗算器３９により構成される。
【００１１】
上記バンドパスフィルタ３５は狭帯域のフィルタで、第２のローパスフィルタ３２ｂの出力信号から妨害波映像信号Ｂ（ｔ）とオフセット成分sin（δｔ＋φ）を含む「Ｂ（ｔ）・sin（δｔ＋φ）」を抽出し、除算回路３６及びＰＬＬ（Phase-Locked Loop）回路３７に入力する。上記ＰＬＬ回路３７は、バンドパスフィルタ３５から出力される信号「Ｂ（ｔ）・sin（δｔ＋φ）」にＰＬＬをかけ、オフセット成分である「sin（δｔ＋φ）」を得て除算回路３６及びπ／２位相シフト回路３８に入力する。除算回路３６は、バンドパスフィルタ３５の出力信号「Ｂ（ｔ）・sin（δｔ＋φ）」に対してＰＬＬ回路３７の出力信号「sin（δｔ＋φ）」を除算して妨害波映像信号Ｂ（ｔ）を得る。つまり、
Ｂ（ｔ）・sin（δｔ＋φ）÷sin（δｔ＋φ）＝Ｂ（ｔ）
の除算処理を行なって妨害波映像信号Ｂ（ｔ）を得る。この妨害波映像信号Ｂ（ｔ）は、乗算器３９に入力される。
【００１２】
また、π／２位相シフト回路３８は、ＰＬＬ回路３７の出力信号「sin（δｔ＋φ）」の位相を９０°シフトして「cos（δｔ＋φ）」を得る。このπ／２位相シフト回路３８の出力信号「cos（δｔ＋φ）」は、乗算器３９に入力されて遅延回路３３から出力される妨害波映像信号Ｂ（ｔ）と乗算され、オフセットビート成分「Ｂ（ｔ）・cos（δｔ＋φ）」として減算回路３４の−端子に入力される。
【００１３】
上記減算回路３４は、遅延回路３３の出力信号と乗算器３９の出力信号との差分を求めてオフセットビート成分を除去する。すなわち、減算回路３４は、映像信号とオフセットビート成分を含む同相成分の信号「Ａ（ｔ）＋Ｂ（ｔ）・cos（δｔ＋φ）」と直交成分から抽出したオフセットビート成分「Ｂ（ｔ）・cos（δｔ＋φ）」とにより、
Ａ（ｔ）＋｛Ｂ（ｔ）・cos（δｔ＋φ）｝−｛Ｂ（ｔ）・cos（δｔ＋φ）｝
＝Ａ（ｔ）
の減算処理を実行し、オフセットビート成分を除去してデジタル映像信号Ａ（ｔ）のみを抽出する。
【００１４】
なお、上記直交成分Ｑ（ｔ）からオフセットビート成分を求める回路系統では、同相成分Ｉ（ｔ）の回路系統に比較し、バンドパスフィルタ３５、除算回路３６、ＰＬＬ回路３７、π／２位相シフト回路３８、乗算器３９等によって信号の位相が遅延するので、同相成分Ｉ（ｔ）の回路系統に遅延回路３３を挿入して信号の位相が一致するようにしている。
【００１５】
そして、上記減算回路３４でオフセットビート成分が除去された映像信号は、Ｄ／Ａコンバータ（図示せず）でアナログ信号に変換され、映像ＩＦ信号として図７のＵＨＦ変調器１５へ送られる。このＵＨＦ変調器１５は、上記オフセットビート成分が除去された映像ＩＦ信号及びチューナ部１２で分離された音声ＩＦ信号を変調して元の高周波周波数あるいは他の高周波周波数に変換した後、テレビ受像機（図示せず）へ送出する。
【００１６】
また、オフセットビート成分が複数存在する場合、従来のオフセットビートキャンセル装置では、図９に示すように複数のオフセットビート成分抽出部４０ａ、４０ｂ、…、４０ｎを設けて各オフセットビート成分を抽出し、それらのオフセットビート成分を加算器４１ａ、４１ｂ、…により加算して減算回路３４の−端子に入力し、映像信号とオフセットビート成分を含む同相成分の信号からオフセットビート成分を除去している。
【特許文献１】特開２００３−１７９７８０号公報
【発明の開示】
【発明が解決しようとする課題】
【００１７】
上記従来のオフセットビートキャンセル装置では、オフセットビート成分抽出部４０において、バンドパスフィルタ３５の出力信号からオフセット成分である「sin（δｔ＋φ）」を抽出するＰＬＬ回路３７が必要であり、また、ＰＬＬ回路３７の出力信号をπ／２位相シフト回路３８でπ／２位相シフトする一方、妨害波映像信号Ｂ（ｔ）を求めるために除算回路３６で除算処理を実行している。このためＰＬＬ回路３７の出力がゼロ若しくはゼロに近い非常に小さい値になったときに除算回路３６の除算結果が膨大な値となって、その信号処理が非常に困難になる等の問題があった。
【００１８】
本発明は上記の課題を解決するためになされたもので、非常に簡単な構成でオフセットビート成分を除去することができるオフセットビートキャンセル装置を提供することを目的とする。
【課題を解決するための手段】
【００１９】
第１の発明は、周波数を僅かにオフセットさせた同一チャンネルのテレビ放送信号を複数の送信局より受信した場合に、その受信信号を直交復調部により直交復調することにより、映像信号とオフセットビート成分を含んだ同相成分を抽出すると共にオフセットビート成分の直交成分を抽出し、前記同相成分と直交成分との差分を求めて映像信号を抽出するオフセットビートキャンセル装置において、
前記直交復調部で得られた同相成分から映像信号とオフセットビート成分を含んだ信号を抽出する第１の信号抽出手段と、
前記直交復調部で得られた直交成分からオフセットビート成分を抽出する第２の信号抽出手段と、前記第２の信号抽出手段で抽出されたオフセットビート成分に対し、振幅利得が「１」で位相を９０°シフトするフィルタと、
前記第１の信号抽出手段で抽出された信号と前記フィルタの出力信号との差分をとり、オフセットビート成分を除去して映像信号を抽出する演算手段とを具備したことを特徴とする。
【００２０】
第２の発明は、周波数を僅かにオフセットさせた同一チャンネルのテレビ放送信号を複数の送信局より受信し、複数のオフセット周波数を含むオフセットビート成分が存在する場合に、その受信信号を直交復調部により直交復調することにより、映像信号とオフセットビート成分を含んだ同相成分を抽出すると共に、オフセットビート成分の直交成分を抽出し、前記同相成分と直交成分との差分を求めて映像信号を抽出するオフセットビートキャンセル装置において、
前記直交復調部で得られた同相成分から映像信号と複数のオフセット周波数を含むオフセットビート成分からなる信号を抽出する第１の信号抽出手段と、
前記直交復調部で得られた直交成分から複数のオフセット周波数を含むオフセットビート成分を抽出する第２の信号抽出手段と、前記第２の信号抽出手段で抽出されたオフセットビート成分に対し、各オフセット周波数における振幅利得が「１」で位相を９０°シフトするフィルタと、
前記第１の信号抽出手段で抽出された信号と前記フィルタの出力信号との差分をとり、複数のオフセット周波数を含むオフセットビート成分を除去して映像信号を抽出する演算手段とを具備したことを特徴とする。
【００２１】
第３の発明は、周波数を僅かにオフセットさせた同一チャンネルのテレビ放送信号を複数の送信局より受信した場合に、その受信信号を直交復調部により直交復調することにより、映像信号とオフセットビート成分を含んだ同相成分を抽出すると共にオフセットビート成分の直交成分を抽出し、前記同相成分と直交成分との差分を求めて映像信号を抽出するオフセットビートキャンセル装置において、
前記直交復調部で得られた同相成分から映像信号とオフセットビート成分を含んだ信号を抽出する第１の信号抽出手段と、
前記直交復調部で得られた直交成分からオフセットビート成分を抽出する第２の信号抽出手段と、前記第２の信号抽出手段で抽出されたオフセットビート成分に対し、位相を９０°シフトするフィルタと、
前記第１の信号抽出手段で抽出された信号と前記フィルタの出力信号との差分をとり、オフセットビート成分を除去して映像信号を抽出する演算手段と、
前記演算手段に入力される同相成分の信号系統あるいは直交成分の信号系統に設けられ、両系統の信号レベルが同じになるように調整する信号レベル調整手段とを具備したことを特徴とする。
【発明の効果】
【００２２】
本発明によれば、直交復調部で直交復調された直交成分の信号系統に振幅利得が「１」で位相を９０°シフトするフィルタを設け、直交成分から抽出したオフセットビート成分を同一振幅で位相を９０°シフトして同相成分の信号との差分をとることにより、従来のオフセットビート成分抽出部において使用されていたＰＬＬ回路、除算回路、π／２位相シフト回路、乗算器等が不要となり、非常に簡単な回路構成でオフセットビート成分の大部分を除去することができる。また、除算処理が不要であるので、膨大な信号を処理する必要がなく、安定した処理を行なうことができる。
【００２３】
また、複数のオフセット周波数が存在する場合でも、上記フィルタの特性を各オフセット周波数において振幅利得が「１」で位相が９０°シフトさせるように設定できるので、１種類のオフセットビート成分を除去する場合と同じ回路構成で複数のオフセットビート成分を同時に除去することができ、従来に比較して回路構成の低減効果は非常に顕著である。
【００２４】
また、上記フィルタの振幅利得が「１」以外の場合においても、例えば同相成分あるいは直交成分の回路系統に増幅器あるいは減衰器等の信号レベル調整手段を設け、差分をとる両系統の信号の振幅が同じになるように調整することにより、オフセットビート成分を除去することができる。
【発明を実施するための最良の形態】
【００２５】
以下、図面を参照して本発明の一実施形態を説明する。  
図１は、本発明の一実施形態に係るオフセットビートキャンセル装置の直交復調部１３及びビートキャンセル部１４Ａの構成を示すブロック図である。
【００２６】
上記直交復調部１３の入力端子２０には、図７に示したチューナ部１２から出力される映像ＩＦ信号（ＩＦ帯テレビ映像信号）が入力される。直交復調部１３は、cos（ωｔ）（余弦波成分）の搬送波信号を発生する局部発振器２１、上記cos（ωｔ）の信号の位相をπ／２シフトしてsin（ωｔ）（正弦波成分）の信号を得るπ／２位相シフト回路２２、上記チューナ部１２からのＩＦ信号と上記cos（ωｔ）の信号とを乗算して同相成分Ｉ（ｔ）を出力する第１の乗算器２３、チューナ部１２からのＩＦ信号と上記sin（ωｔ）の信号とを乗算して直交成分Ｑ（ｔ）を出力する第２の乗算器２４からなっている。
【００２７】
上記直交復調部１３から出力される同相成分Ｉ（ｔ）には映像信号とオフセットビート成分が含まれ、直交成分Ｑ（ｔ）にはオフセットビート成分が含まれている。上記直交復調部１３から出力される同相成分Ｉ（ｔ）及び直交成分Ｑ（ｔ）は、ビートキャンセル部１４Ａへ送られる。
【００２８】
上記ビートキャンセル部１４Ａに入力された同相成分Ｉ（ｔ）は、第１のＡ／Ｄコンバータ５１ａによりデジタル信号に変換された後、復調搬送波の２倍以上の周波数成分を除去する第１のローパスフィルタ（ＬＰＦ）５２ａ及び遅延回路５３を介して減算回路５４の＋端子に入力される。
【００２９】
また、ビートキャンセル部１４Ａに入力された直交成分Ｑ（ｔ）は、第２のＡ／Ｄコンバータ５１ｂによりデジタル信号に変換された後、復調搬送波の２倍以上の周波数成分を除去する第２のローパスフィルタ（ＬＰＦ）５２ｂに入力される。そして、この第２のローパスフィルタ５２ｂの出力信号は、狭帯域のバンドパスフィルタ（ＢＰＦ）５５及びデジタルフィルタ例えばヒルベルトフィルタ５６を介して減算回路５４の−端子に入力される。
【００３０】
上記ヒルベルトフィルタ５６は、例えば振幅利得が「１」（ゲイン０ｄＢ）で、出力信号の位相が９０°（π／２）シフトする特性を有するもので、その具体的な構成例については後述する。上記ヒルベルトフィルタ５６は、例えば昭和５６年５月２０日に社団法人電子通信学会により発行された「ディジタル信号処理の応用」等において、従来から一般に知られた技術である。
【００３１】
上記バンドパスフィルタ５５は、被変調信号に関して、搬送波成分が映像信号の変調成分よりも充分大きいことを利用し、この搬送波の差によるビート成分を抽出する。このバンドパスフィルタ５５の出力信号は、ヒルベルトフィルタ５６を通過することによって位相が９０°シフトされて減算回路３４の−端子に入力される。この減算回路３４は、遅延回路５３の出力信号とヒルベルトフィルタ５６の出力信号との差を求めてオフセットビート成分を除去する。
【００３２】
上記減算回路３４からビート成分の除去された信号は、出力端子５７から出力され、Ｄ／Ａコンバータ（図示せず）によってアナログ信号に変換された後、図７に示すＵＨＦ変調器１５へ送られる。
【００３３】
図２は、上記ヒルベルトフィルタ５６の構成例を示すブロック図である。図２において、６０は入力端子で、この入力端子６０には、前段のバンドパスフィルタ５５（図１参照）からの信号が入力される。上記入力端子６０には、シフトレジスタ６１が接続される。このシフトレジスタ６１は、複数個例えば１４個の遅延素子６１１〜６１１４が直列に接続されており、サンプリングクロックに同期して入力信号を順次シフトする。各遅延素子６１１〜６１１４の動作周期Ｔは、サンプリング周波数をｆｓとすると、「Ｔ＝１／ｆｓ」である。上記サンプリング周波数ｆｓは、例えば２６．１１ＭＨｚに設定される。
【００３４】
上記入力端子６０に入力された信号及びシフトレジスタ６１の各遅延素子６１１〜６１１４から出力される信号は、それぞれ乗算器６２１〜６２１５の一方の入力端子に入力される。また、上記乗算器６２１〜６２１５の他方の入力端子には、係数Ｃ１〜Ｃ１５が入力される。この係数Ｃ１〜Ｃ１５は、例えば次のように設定される。
【００３５】
Ｃ１＝−Ｃ１５＝  ０．００７８１２５
Ｃ２＝−Ｃ１４＝−０．００１５６２５
Ｃ３＝−Ｃ１３＝−０．０７０３１２５
Ｃ４＝−Ｃ１２＝−０．１４０６２５
Ｃ５＝−Ｃ１１＝−０．１８７５
Ｃ６＝−Ｃ１０＝−０．１７１８７５
Ｃ７＝−Ｃ９  ＝−０．１０９３７５
Ｃ８          ＝  ０
そして、上記乗算器６２１〜６２１５の出力信号は、加算器６３で加算され、出力端子６４から出力される。
【００３６】
上記のように構成されたヒルベルトフィルタ５６は、図４に示すような振幅特性が得られ、１０ｋＨｚ及び２０ｋＨｚの周波数において、振幅利得が「１」（ゲイン０ｄＢ）となる。また、上記ヒルベルトフィルタ５６は、図５に示すような位相特性が得られ、約１ｋＨｚ〜３７ｋＨｚの周波数範囲で入力信号が「＋９０°」シフトされる。
【００３７】
次に、上記実施形態おけるオフセットビート成分の除去動作について説明する。  
図３は、現在行なわれているアナログテレビ放送における映像ＩＦ信号の残留側波帯特性を示したもので、テレビ映像信号の搬送波周波数ｆＣは例えば５８．７５ＭＨｚ、信号帯域幅は６ＭＨｚである。
【００３８】
テレビ放送波、すなわち変調された映像信号は、上記図３に示したように搬送波成分が映像信号に比較して非常に大きく、式で表すと次のようになる。
【００３９】
｛１＋ｍ・ｆ（ｔ）｝・cos（ωＣｔ）
但し、ｍ：変調度（０＜ｍ＜１）
ｆ（ｔ）：映像信号、
ωＣ：２πｆＣ
上記の映像信号がチューナ部１２（図７参照）から直交復調部１３に入力されると、直交復調され、同相成分Ｉ（ｔ）として出力されると共に直交成分Ｑ（ｔ）として出力される。上記同相成分Ｉ（ｔ）には、映像信号Ａ（ｔ）とオフセットビート成分（１０ｋＨｚ）が含まれ、直交成分Ｑ（ｔ）には、オフセットビート成分（１０ｋＨｚ）が含まれる。
【００４０】
上記直交復調部１３から出力される同相成分Ｉ（ｔ）は、Ａ／Ｄコンバータ５１ａでデジタル信号に変換された後、ローパスフィルタ５２ａを介して出力される。このローパスフィルタ５２ａを介して取り出される同相成分ＩＬ（ｔ）は、
【数１】
2005340911.tif 000003
となる。但し、ｋは係数で、受信信号のＤ／Ｕ比が４０ｄＢの場合、「ｋ＝０．０１」である。  
上記ローパスフィルタ５２ａから出力される同相成分ＩＬ（ｔ）は、遅延回路５３を介して減算回路５４の＋端子に入力される。
【００４１】
また、上記直交復調部１３から出力される妨害波映像信号Ｂ（ｔ）を含む直交成分Ｑ（ｔ）は、Ａ／Ｄコンバータ５１ｂでデジタル信号に変換された後、ローパスフィルタ５２ｂを介して出力される。このローパスフィルタ５２ｂを介して取り出される直交成分ＱＬ（ｔ）は、
【数２】
2005340911.tif 000004
となる。
【００４２】
更に、上記ローパスフィルタ５２ｂの出力である直交成分ＱＬ（ｔ）は、バンドパスフィルタ５５により、
−（ｋ・ｍ・ｆ（ｔ）／２）sin（δｔ＋φ）
の成分が殆ど除去（ほぼゼロ）されるので、その出力ＱＢ（ｔ）として、
ＱＢ（ｔ）＝−（ｋ／２）・sin（δｔ＋φ）
が取り出される。
【００４３】
上記バンドパスフィルタ５５の出力ＱＢ（ｔ）は、ヒルベルトフィルタ５６で同じ振幅のまま位相が９０°シフトされ、その出力ＱＨ（ｔ）は
ＱＨ（ｔ）＝−（ｋ／２）・cos（δｔ＋φ）
となり、減算回路５４の−端子に入力される。
【００４４】
減算回路５４は、遅延回路５３から出力される同相成分ＩＬ（ｔ）とヒルベルトフィルタ５６から出力される直交成分ＱＨ（ｔ）との差分をとり、その出力Ｏｕｔ（ｔ）は、
Ｏｕｔ（ｔ）＝ＩＬ（ｔ）−ＱＨ（ｔ）
＝（Ａ（ｔ）／２）＋（ｋ・ｍ・ｆ（ｔ）／２）cos （δｔ＋φ）
となる。ここで、
（１）受信信号のＤ／Ｕ比、すなわち、本来の受信波Ａ（ｔ）ともう一方の放送局からの受信波（妨害波）Ｂ（ｔ）とのＤ／Ｕ比は、
Ｄ／Ｕ＝２０log１０（｜Ａ（ｔ）｜／｜Ｂ（ｔ）｜）  （ｄＢ）
で求められるが、一般的に３０〜４０ｄＢ以上である。このＤ／Ｕ比を４０ｄＢとすると、係数ｋの値は「ｋ＝０．０１」である。
【００４５】
（２）また、変調度ｍの値は、「０＜ｍ＜１」である。
【００４６】
上記（１）と（２）から、係数ｋと変調度ｍは、非常に小さい値であり、このため上記減算回路５４の出力信号Ｏｕｔ（ｔ）に含まれている
（ｋ・ｍ・ｆ（ｔ）／２）cos （δｔ＋φ）
の成分は、ほぼゼロとなる。この結果、減算回路５４の出力信号Ｏｕｔ（ｔ）は、
Ｏｕｔ（ｔ）＝Ａ（ｔ）／２
となり、希望の映像信号のみが取り出される。この減算回路５４の出力信号Ｏｕｔ（ｔ）は、ビートキャンセル部１４Ａの出力として取り出され、アナログ信号に変換された後、図７のＵＨＦ変調器１５へ送られる。
【００４７】
上記のように振幅利得が「１」で位相が９０°シフトするヒルベルトフィルタ５６を使用することにより、非常に簡単な構成でオフセットビート成分を除去し、希望する映像信号のみを取り出すことができる。
【００４８】
上記実施形態では、１０ｋＨｚのオフセット周波数が存在する場合について説明したが、例えば１０ｋＨｚと２０ｋＨｚの２種類のオフセット周波数が存在する場合でも、ヒルベルトフィルタ５６の特性を、図４及び図５に示したように１０ｋＨｚ及び２０ｋＨｚの周波数において振幅利得が「１」（ゲイン０ｄＢ）で位相が９０°シフトするように設定することにより、２種類のオフセットビート成分を同時に除去することができる。すなわち、ヒルベルトフィルタ５６の振幅特性及び位相特性を上記のように設定することにより、バンドパスフィルタ５５から出力される１０ｋＨｚ及び２０ｋＨｚのオフセットビート成分は、ヒルベルトフィルタ５６により同一振幅で位相が９０°シフトされて減算回路５４に入力される。従って、減算回路５４において、遅延回路５３を介して入力されると同相成分Ｉ（ｔ）と上記ヒルベルトフィルタ５６の出力信号との差分を求めることにより、回路を追加することなく、１０ｋＨｚ及び２０ｋＨｚのオフセットビート成分を同時に除去することができる。
【００４９】
更に、３種類以上のオフセット周波数が存在する場合でも、ヒルベルトフィルタ５６の特性を各オフセット周波数において、振幅利得が「１」（ゲイン０ｄＢ）で位相が９０°シフトするように設定することにより、３種類のオフセットビート成分を同時に除去することができる。ヒルベルトフィルタ５６における振幅特性及び位相特性は、シフトレジスタ６１及び係数Ｃ１〜Ｃ１５の値によって任意に設定することが可能である。
【００５０】
上記実施形態によれば、ビートキャンセル部１４Ａにおいて、直交成分Ｑ（ｔ）の信号系統にヒルベルトフィルタ５６を設け、直交成分Ｑ（ｔ）から抽出したオフセットビート成分を同一振幅で位相を９０°シフトすることにより、従来のオフセットビート成分抽出部を構成するＰＬＬ回路、除算回路、π／２位相シフト回路、乗算器等が不要となり、回路構成を著しく簡易化することができる。また、除算処理が不要であるので、膨大な信号を処理する必要がなく、安定した処理を行なうことができる。
【００５１】
また、複数のオフセット周波数が存在する場合でも、上記ヒルベルトフィルタ５６の特性を各オフセット周波数において振幅利得が「１」で位相が９０°シフトさせるように設定できるので、１種類のオフセットビート成分を除去する場合と同じ回路構成で複数のオフセットビート成分を同時に除去することができる。従って、この場合には、従来に比較して回路規模を大幅に低減でき、その低減効果は非常に顕著である。
【００５２】
なお、上記実施形態では、ヒルベルトフィルタ５６の振幅特性を振幅利得「１」（ゲイン０ｄＢ）に設定した場合について説明したが、振幅利得が「１」以外の場合においても、例えば同相成分Ｉ（ｔ）あるいは直交成分Ｑ（ｔ）の回路系統に増幅器あるいは減衰器等の信号レベル調整手段を設け、減算回路５４に入力される２系統の信号の振幅が同じになるように調整することにより、オフセットビート成分を除去することができる。
【００５３】
また、本発明は、上記実施形態そのままに限定されるものではなく、実施段階ではその要旨を逸脱しない範囲で構成要素を変形して具体化できるものである。
【図面の簡単な説明】
【００５４】
【図１】本発明の一実施形態に係るオフセットビートキャンセル装置の直交復調部及びビートキャンセル部の構成を示すブロック図である。
【図２】同実施形態におけるヒルベルトフィルタの構成例を示すブロック図である。
【図３】アナログテレビ放送における映像ＩＦ信号の残留側波帯特性を示す図である。
【図４】同実施形態におけるヒルベルトフィルタの振幅特性を示す図である。
【図５】同実施形態におけるヒルベルトフィルタの位相特性を示す図である。
【図６】同一地域に対して２つのアナログテレビ放送局から同じチャンネルの放送電波が届く場合の例を示す図である。
【図７】従来のＵＨＦ放送におけるオフセットビートキャンセル装置の概略構成を示すブロック図である。
【図８】図７における直交復調部及びビートキャンセル部の構成を示すブロック図である。
【図９】図７における直交復調部及びビートキャンセル部の他の構成を示すブロック図である。
【符号の説明】
【００５５】
１１…受信アンテナ、１２…チューナ部、１３…直交復調部、１４、１４Ａ…ビートキャンセル部、１５…ＵＨＦ変調器、２０…入力端子、２１…局部発振器、２２…π／２位相シフト回路、２３、２４…乗算器、４０、４０ａ、４０ｂ…オフセットビート成分抽出部、４１ａ、４１ｂ…加算器、５１ａ、５１ｂ…Ａ／Ｄコンバータ、５２ａ、５２ｂ…ローパスフィルタ、５３…遅延回路、５４…減算回路、５５…バンドパスフィルタ、５６…ヒルベルトフィルタ、５７…出力端子、６０…入力端子、６１…シフトレジスタ、６１１〜６１１４…遅延素子、６２１〜６２１５…乗算器、６３…加算器、６４…出力端子。
【図１】
2005340911.tif 000005
【図２】
2005340911.tif 000006
【図３】
2005340911.tif 000007
【図４】
2005340911.tif 000008
【図５】
2005340911.tif 000009
【図６】
2005340911.tif 000010
【図７】
2005340911.tif 000011
【図８】
2005340911.tif 000012
【図９】
2005340911.tif 000013